(57)【要約】【課題】本発明の課題は、使い勝手の良い簡易便器を提供することにある。【解決手段】簡易便器１の本体２の上面両側に上下二段の肘掛け３２Ａ，３２Ａ，３２Ｂ，３２Ｂを着脱可能に取付ける。そして使用状況に応じて上段の肘掛け３２Ａ，３２Ａまたは下段の肘掛け３２Ｂ，３２Ｂを選択して使用出来るようにする。【選択図】  図１
2005073990.tif 000002
【特許請求の範囲】
【請求項１】
簡易便器の本体の上面両側に着脱可能に取付けられている肘掛けであって、該肘掛けは上下二段設けられていることを特徴とする簡易便器の肘掛け構造。
【請求項２】
簡易便器の本体の上面両側に前後一対の支柱を立設し、該前後一対の支柱間に上下二段に肘掛けを差渡した請求項１に記載の簡易便器の肘掛け構造。
【請求項３】
該支柱は上部支柱と下部支柱とからなり、該上部支柱根端部は該下部支柱上端部に着脱可能に嵌着されており、該上部支柱間には上段肘掛けが差渡されており、該下部支柱間には下段肘掛けが差渡されている請求項２に記載の簡易便器の肘掛け構造。
【請求項４】
該前後一対の支柱は肘掛け基台から立設されており、該肘掛け基台は該簡易便器の本体の上面両側にねじによって着脱可能に取付けられている請求項２または３に記載の簡易便器の肘掛け構造。
【請求項５】
該前後一対の支柱は肘掛け基台から立設されており、該肘掛け基台にはキー溝を有するピン孔が設けられており、一方該簡易便器本体の上面両側にもキー溝を有するピン孔が設けられており、該肘掛け基台のピン孔と該簡易便器本体のピン孔とを合わせてキー付きロックピンを貫通せしめ、該ロックピンをねじってロックすることによって該肘掛け基台を該簡易便器本体に着脱可能に取付けた請求項２または３に記載の簡易便器の肘掛け構造。
【請求項６】
該上段の肘掛けは簡易便器本体上面から１８〜２４cmの高さに設定され、該下段の肘掛けは簡易便器本体上面から８〜１２cmの高さに設定されている請求項１〜５に記載の簡易便器の肘掛け構造。
【発明の詳細な説明】
【技術分野】
【０００１】
本発明は、肘掛け付きの簡易便器に関するものである。
【背景技術】
【０００２】
簡易便器は主として老人、病人、身障者等の弱者が室内で使用する便器である。そして該簡易便器には従来から使用中に使用者が肘を掛けて安楽な姿勢がとれるよう、また便器に腰かけたり立上ったりするときに体を支えるために、便器本体上面両側に肘掛けを取付けた構成が多く提供されている（例えば特許文献１〜２参照）。
【特許文献１】特開平１０−５７２７２号公報（図１）
【特許文献２】特開平１１−２６７０６８号公報（特許請求の範囲、図１）
【発明の開示】
【発明が解決しようとする課題】
【０００３】
上記肘掛けの高さは車椅子のＪＩＳ規格に準じて便器本体上面から１８〜２４cmの範囲に設定されている。しかし肘掛けが一本のみこの高さに設定されている場合では、使用者がベッド等から便器に移乗した後、お尻を浮かせて位置調節したり、立ち上がる時に肘掛けを手で掴んで体を支える時、該肘掛けの位置が高すぎて腕力が入りにくい。しかし便器本体上面に手をついて体を支えようとしても、便器本体上面の位置はお尻の位置と略等しく、低すぎてこの場合も腕力が入りにくい。
【０００４】
更に脚力が弱い人にとっては、肘掛けに肘をかけるよりは肘掛けを手で握る方が安定に体を支えることが出来るが、肘掛けが上記高さに設定されていると、肘掛けを手で握ることが困難である。
【課題を解決するための手段】
【０００５】
本発明は上記従来の課題を解決するための手段として、簡易便器(1) の本体(2) の上面両側に着脱可能に取付けられている肘掛けであって、該肘掛け(32A,32B) は上下二段設けられている簡易便器(1) の肘掛け構造を提供するものである。通常は簡易便器(1) の本体(2) の上面両側に前後一対の支柱(34A,34A,34B,34B) を立設し、該前後一対の支柱(34A,34A,34B,34B) 間に上下二段に肘掛け(32A,32A,32B,32B) を差渡す。該支柱は上部支柱(34A,34A) と下部支柱(34B,34B) とからなり、該上部支柱(34A,34A) 根端部は該下部支柱(34B,34B) 上端部に着脱可能に嵌着されており、該上部支柱(34A,34A) 間には上段肘掛け(32A,32A) が差渡されており、該下部支柱(34B,34B) 間には下段肘掛け(32B,32B) が差渡されていることが望ましい。更に該前後一対の支柱(34A,34A,34B,34B) は肘掛け基台(35)から立設されており、該肘掛け基台(35)は該簡易便器(1) の本体(2) の上面両側にねじ(40)によって着脱可能に取付けられていることが望ましい。また更に該前後一対の支柱(34A,34A,34B,34B) は肘掛け基台(35)から立設されており、該肘掛け基台(35)にはキー溝(51A,51A) を有するピン孔(51)が設けられており、一方該簡易便器本体(2) の上面両側にもキー溝(53A,53A) を有するピン孔(53)が設けられており、該肘掛け基台(35)のピン孔(51)と該簡易便器本体(2) のピン孔(53)とを合わせてキー付きロックピン(55)を貫通せしめ、該ロックピン(55)をねじってロックすることによって該肘掛け基台(35)を該簡易便器本体(2) に着脱可能に取付けることが望ましい。
通常該上段の肘掛け(32A,32A) は簡易便器本体(2) 上面から１８〜２４cmの高さに設定され、該下段の肘掛け(32B,32B) は簡易便器本体(2) 上面から８〜１２cmの高さに設定されている。
【発明の効果】
【０００６】
〔作用〕
使用中、使用者は通常上段の肘掛け(32A,32A) に肘をかけて体を支える。場合によって肘掛けを手で握るときは、通常下段の肘掛け(32B,32B) を手で握る。下段の肘掛け(32B,32B) は８〜１２cmの高さに設定されているから、手で握り易い位置にある。
使用者が便器本体(2) に腰をかけたり立上ったりする時には、通常上段の肘掛け(32A,32A) に手をついて体を支えるが、体形によっては特に立上がる時に下段の肘掛け(32B,32B) を手で握って体を支えた方が楽な場合がある。更に使用者がベッド等から便器に移乗した後、お尻を浮かせて位置調節するような場合には、下段の肘掛け(32B,32B) を手で握れば腕力が入り易い状態になる。
【０００７】
〔効果〕
本発明の簡易便器にあっては、肘掛けが上下二段設けられているから、使用状況に応じて上段の肘掛けを使用したり、下段の肘掛けを使用したりすることが出来、使い勝手が非常に良好になる。
【発明を実施するための最良の形態】
【０００８】
本発明の一実施例を図１〜図１３に示す。図１および図２に示すように、簡易便器(1) の便器本体(2) の上面開口部(3) には便槽(4) が懸架されており、該開口部(3) の周縁には便座(5) が載置され、その上には上蓋(6) が被着されている。該便座(5) と上蓋(6) とは共にヒンジ(7) によってその後端を該便器本体(2) の上面後縁部に枢着されている。
【０００９】
該上蓋(6) は前半部(8) と、後半部(9) とに分割されており、該前半部(8) の上面には把手(10)が形成されており、図６に示すように後半部(9) の前縁からはＬ字形の軸受ブラケット(11)が垂設され、前半部(8) の後縁からは直板状軸受ブラケット(12)が垂設され、双方の軸受ブラケット(11,12) は軸(13)によって回動自在に結合されてヒンジ(14)を構成しており、該ヒンジ(14)の軸(13)は後半部(9) の前縁から前よりにオフセットされ、したがって該上蓋(6) を折畳み起立させた状態で図７に示すように前半部(8) の後縁は後半部(9) の前縁よりも高位になり、図２に示すように該簡易便器(1) を前方から見た時、折畳み状態の上蓋(6) のヒンジ(14)部分が該前半部(8) の後縁部に隠蔽されて見えないように設定されている。
【００１０】
該便器本体(2) の後縁部には背もたれ(15)が取付けられている。該背もたれ(15)は上辺部(16)と両側辺部(17,17) とからなり、図４に示すように両側辺部(17,17) 下端からは取付け筒(18,18) が差出されている。該取付け筒(18)には図８に示すように前後一対の切溝(19)が下端から設けられており、該取付け筒(18)下端の左右には爪(20)が突設されている。
【００１１】
図４および図８に示すように該背もたれ(15)の両側辺部(17,17) の取付け筒(18,18) は便器本体(2) の上面両側後部に開口している取付け外筒(21)内に挿着される。図９および図１０に示すように該取付け外筒(21)は該便器本体(2) 内においてリブ(22,23,24,25) によって補強され支持されており、底部中央からは芯筒(26)が起立しており、底部の左右両側には切欠き(27)が設けられ、該取付け外筒(21)に該背もたれ(15)の両側辺部(17)の取付け筒(18)が内挿した状態で図１０に示すように該取付け筒(18)の爪(20)が該取付け外筒(21)の切欠き(27)に係合する。
【００１２】
該両側辺部(17,17) 内において、更に該取付け筒(18)には図８、図９、図１０に示すように上方から固定筒(28)が内挿される。該固定筒(28)の上端には基板(29)が設けられ、前後一対の切溝(30,30) が下端から設けられており、該切溝(30)の上端には爪(31)が突設されており、該固定筒(28)を該該取付け筒(18)に内挿した状態で、図９に示すように該固定筒(28)の爪(31)は取付け筒(18)の切溝(19)の上端に係合する。このようにして該取付け筒(18)は該固定筒(28)によって切溝(19)を介して巾が縮小するような変形を阻止され、該背もたれ(15)は両側辺部(17,17) の取付け筒(18,18) を介して該便器本体(2) の後縁部に取付けられる。
【００１３】
該背もたれ(15)は両側辺部(17,17) は後方へ反った形状にされており、したがって図５に示すように該背もたれ(15)の上辺部(16)の位置は、便座(5) と上蓋(6) とのヒンジ(7) よりも巾Ｌだけ後方にオフセットされている。また該背もたれ(15)の内側スペースは、図２および図５に示すように折畳んだ上蓋(6) を後方へはね上げた場合、該上蓋(6) が該背もたれ(15)の内側を通抜け出来るように設定されている。そして図３および図５に示すように便座(5) を上方に起し、該背もたれ(15)の上辺部(16)に該便座(5) の上端が接しもたせかけた状態で、該便座(5) の起し角度θは９０°以上となり、該便座(5) は起した状態で支持手段を必要とすることなく、背もたれ(15)の上辺部(16)に安定に支持される。
【００１４】
該便器本体(2) の上面両側には上下二段の肘掛け(32A,32A,32B,32B) が取付けられている。そして図１１に示すように該下段の肘掛け(32B,32B) は前後を基台であるケーシング(35)の前後から立設されている一対の下部支柱(34B,34B) の上部に差渡されており、該上段の肘掛け(32A,32A) の前後部には一対の上部支柱(34A,34A) が垂設されており、該上段肘掛け(32A,32A) の上部支柱(34A,34A) を図１２に示すように下部支柱(34B,34B) に内側嵌合し、ねじ(34C) 等によって固定する。通常該上段肘掛け(32A,32A) の便器本体(2) の上面からの高さは１８〜２４cmの範囲に設定され、該下段肘掛け(32B,32B) は便器本体(2) 上面から８〜１２cmの範囲に設定される。
【００１５】
該ケーシング(35)の内側には図９、図１３に示すように前後に取付筒(36,36) が突設されており、更にねじ貫通孔を有するねじ筒(37,37) が突設されている。
【００１６】
該ケーシング(35)は図９に示すように該便器本体(2) の上面両側の嵌合凹部(38,38) に嵌合される。この状態で該ケーシング(35)内の取付筒(36,36) は該嵌合凹部(38,38) の底部から立設されている位置決め突起(39,39) に嵌合し位置決めされ、該ケーシング(35)内のねじ筒(37,37) にねじ(40,40) を挿入し、該嵌合凹部(38,38) の底部から立設されている前後一対の支持ブロック(41,41) の前側と後側に設けられている台部(42,42) のねじ孔(43,43) に該ねじ(40,40) を螺着し締め付ける。
このようにして該下段肘掛け(32B,32B) は該便器本体(2) の上面両側に着脱可能に取付けられる。
【００１７】
該上段肘掛け(32A,32A) が不要な場合には、ねじ(34C) をはずして上部支柱(34A,34A) を下部支柱(34B,34B) から引抜く。
更に下段肘掛け(32B,32B) も不要な場合、あるいは側方のベッドから使用者が便器(1) に移る場合には、ねじ(40)をはずせば、該肘掛け(32B,32B) は該便器本体(2) の上面両側から取り外すことが出来るが、肘掛け(32B,32B) 取り外し状態では、該便器本体(2) の嵌合凹部(38)が露出しないよう蓋(47)で閉鎖しておく。該蓋(47)には図１３に示すように下面前後に嵌合筒(47A) が設けられ、該嵌合凹部(38)を該蓋(47)で閉鎖した時、該蓋(47)の嵌合筒(47A) は該嵌合凹部(38)の位置決め突起(39,39) に嵌着され、更に嵌合凹部(38)の支持ブロック(41,41) は該蓋(47)の下面を支持する。
【００１８】
該便器本体(2) の下面四隅には脚(48)が取付けられているが、該脚(48)はねじ込み式にされ、高さ調節が可能とされている。したがって該簡易便器(1) は使用者の体形に応じて高さが調節出来、また好みあるいは基礎の傾斜に応じて前傾または後傾させることが出来る。
【００１９】
更に該便器本体(2) の前面(49)は下方に行くにつれて内側に入り込むように傾斜され更に該前面(49)の両側部分は内側に凹陥されているので、使用者が便器(1) から立上る時、膝を鋭角に曲げることが出来、立上り易くなる。また介助人が足を該前面(49)の両側凹陥部分に足を差入れて、使用者が立上る時の介助を容易に行うことが出来る。更に該便器本体(2) の側面にはトイレットペーパーや脱臭剤を収納する収納部の蓋板(50)が被着されている。
【００２０】
図１４〜図１６には他の実施例が示される。本実施例では肘掛け基台（ケーシング）(35)の上面にキー溝(51A,51A) を有するピン孔(51)が貫設され、一方便器本体(2) の上面両側の嵌合凹部(38)の対応位置には支持ブロック(52)が底部から立設されており、該支持ブロック(52)上面には該ケーシング(35)のピン孔(51)に対応するキー溝(53A,53A) 付きピン孔(53)が貫設され、該支持ブロック(52)の上面裏側のピン孔(53)の周りには一対の係止凹部(54)が形成されている。
【００２１】
該ケーシング(35)を該便器本体(2) の上面両側の嵌合凹部(38,38) に嵌合した状態で、該ケーシング(35)のピン孔(51)と該嵌合凹部(38)の支持ブロック(52)のピン孔(53)とが一致する。そこで図１４に示すようなロックピン(55)を該ピン孔(51,53) に挿通する。該ロックピン(55)は頭部(55A) と軸部(55B) と、該軸部(55B) の下部から両側に差出されているキー(55C,55C) とからなり、該キー(55C,55C) の上面には係止突起(55D,55D) が設けられている。該ロックピン(55)は該キー(55C,55C) を該ケーシング(35)のピン孔(51)のキー溝(51A,51A) と該嵌合凹部(38)の支持ブロック(52)のピン孔(53)のキー溝(53A,53A) に合わせて挿通され、それから９０°ロックピン(55)をねじると図１６に示すように該ロックピン(55)のキー(55C,55C) が嵌合凹部(38)の支持ブロック(52)のピン孔(53)の裏側周縁に係合し、かつ該キー(55C,55C) 上面の係止突起(55D,55D) が該ピン孔(53)の係止凹部(54)に弾性嵌合し、該ロックピン(55)の回転を阻止する。
このようにして該下段肘掛け(32B,32B) は便器本体(2) の上面両側に着脱可能に取付けられる。
【産業上の利用可能性】
【００２２】
本発明の簡易便器には肘掛けが上下二段に取付けられているから、使用状況に応じて上段か下段かいずれかの肘掛けを選択することが出来、老人、病人、身障者等にとって非常に使い勝手がよい。
【図面の簡単な説明】
【００２３】
図１〜図１３は本発明の一実施例を示すものである。
【図１】上蓋を閉めた状態の斜視図
【図２】上蓋を開けた状態の斜視図
【図３】便座を起した状態の斜視図
【図４】背もたれとアームレストを取り外した状態の斜視図
【図５】便座を起した状態の一部切欠き側面図
【図６】上蓋を閉めた状態の上蓋および便座断面図
【図７】上蓋を開いた状態の部分断面図
【図８】背もたれ取付け部の分解斜視図
【図９】アームレストと背もたれ取付け部分の側断面図
【図１０】背もたれ取付け部分の正断面図
【図１１】肘掛け構造説明図
【図１２】上部支柱と下部支柱の連結部分の側断面図
【図１３】肘掛け取付け部の分解斜視図  図１４〜図１６は本発明の他の実施例を示すものである。
【図１４】ケーシング表側と嵌合凹部の部分斜視図
【図１５】ケーシング裏側と嵌合凹部の斜視図
【図１６】ロック状態の断面図
【符号の説明】
【００２４】
1         簡易便器
2         便器本体
32A       上部肘掛け
32B       下部肘掛け
34A       上部支柱
34B       下部支柱
34C       ねじ
35        肘掛け基台（ケーシング）
40        ねじ
51,53     ピン孔
51A,53A   キー溝
55        ロックピン
【図１】
2005073990.tif 000003
【図２】
2005073990.tif 000004
【図３】
2005073990.tif 000005
【図４】
2005073990.tif 000006
【図５】
2005073990.tif 000007
【図６】
2005073990.tif 000008
【図７】
2005073990.tif 000009
【図８】
2005073990.tif 000010
【図９】
2005073990.tif 000011
【図１０】
2005073990.tif 000012
【図１１】
2005073990.tif 000013
【図１２】
2005073990.tif 000014
【図１３】
2005073990.tif 000015
【図１４】
2005073990.tif 000016
【図１５】
2005073990.tif 000017
【図１６】
2005073990.tif 000018